(57)【特許請求の範囲】
【請求項１】
カードが挿入される挿入口が形成された案内部材と、
前記挿入口を開閉するために設けられたシャッタ部材と、を備えたカード受入機構において、
前記挿入口の幅方向である第１方向にスライド移動可能に設けられたスライド部材をさらに備え、
前記シャッタ部材は、その第１方向の長さが前記挿入口の第１方向の長さよりも長くなるように矩形状に形成されており、
前記スライド部材および前記シャッタ部材のいずれか一方には、前記第１方向、および、前記挿入口に挿入されるカードの表面に対して垂直な第２方向と交差する第３方向に延びる２つのガイドレールが、前記第１方向に並んで設けられ、
前記スライド部材および前記シャッタ部材の他方には、前記２つのガイドレールにそれぞれガイドされる２つのレール係合部が設けられ、
前記２つのガイドレールは、前記挿入口の前記第１方向の幅より小さい間隔を置いて、前記挿入口の下側に設けられており、
前記シャッタ部材は、当該シャッタ部材と前記案内部材の一方に形成された第１突出部が、他方に形成された前記第２方向に延びる第１開口溝に挿入されることによって、前記第２方向への移動が可能で、前記第１方向への移動が規制され、
前記スライド部材が前記第１方向の一方にスライドしたときに、前記レール係合部が前記ガイドレールの一方端部から他方端部へ移動することにより、前記シャッタ部材が下降して前記挿入口を開き、
前記スライド部材が前記第１方向の他方にスライドしたときに、前記レール係合部が前記ガイドレールの他方端部から一方端部へ移動することにより、前記シャッタ部材が上昇して前記挿入口を閉じることを特徴とするカード受入機構。
【請求項２】
請求項１に記載のカード受入機構において、
前記ガイドレールは、第２開口溝を含み、
前記レール係合部は、前記第２開口溝に挿入される第２突出部を含むことを特徴とするカード受入機構。
【請求項３】
請求項１または請求項２に記載のカード受入機構において、
前記スライド部材を前記第１方向にスライド移動させるために設けられたアクチュエータをさらに備えることを特徴とするカード受入機構。
【請求項４】
請求項１ないし請求項３のいずれかに記載のカード受入機構において、
前記挿入口に挿入されるカードの情報を読み取るための検出部と、
前記検出部が前記挿入口内に突出するように、前記検出部を付勢するための圧縮コイルばねとをさらに備えることを特徴とするカード受入機構。
【請求項５】
請求項１ないし請求項４のいずれかに記載のカード受入機構が設けられたカード処理装置。
【発明の詳細な説明】
【技術分野】
【０００１】
本発明は、挿入口を開閉するためのシャッタ部材を備えたカード受入機構およびカード処理装置に関する。
【背景技術】
【０００２】
従来、カードが挿入される挿入口と、挿入口を開閉するためのシャッタ部材とを備えたカード受入機構およびカード処理装置が知られている（たとえば、特許文献１および２参照）。
【０００３】
上記特許文献１には、カード挿入口と、略Ｌ字状に形成されたシャッタ板（シャッタ部材）と、シャッタ板を移動させるためのソレノイド（アクチュエータ）とを備えたカードリーダ（カード処理装置）が開示されている。このシャッタ板は、正面視においてカード挿入口の側方に配置された支持軸を中心として回動可能に設けられている。そして、上記特許文献１のカードリーダでは、ソレノイドによりシャッタ板が支持軸を中心として回動されることによって、カード挿入口が開閉されるように構成されている。
【０００４】
上記特許文献２には、カード挿入口と、シャッタ板（シャッタ部材）と、シャッタ板を移動させるためのソレノイド（アクチュエータ）と、ソレノイドの駆動力をシャッタ板に伝達するための連結部材とを備えたシャッタ開閉機構（カード受入機構）が開示されている。この連結部材は、ソレノイドにより駆動されるスライド部材と、スライド部材に連結されるとともに、シャッタ板に連結される回動部材とを有している。そして、上記特許文献２のシャッタ開閉機構では、スライド部材がスライド移動することにより、回動部材およびシャッタ板が回動されることによって、カード挿入口が開閉されるように構成されている。
【０００５】
【特許文献１】特開２０００−９９６３６号公報
【特許文献２】特許第３７０６７６４号公報
【発明の開示】
【発明が解決しようとする課題】
【０００６】
しかしながら、上記特許文献１に開示された従来のカードリーダ、および、上記特許文献２に開示された従来のシャッタ開閉機構では、カード挿入口が開かれる際に、シャッタ板が回動されることにより、カード挿入口の側方にシャッタ板を退避させるための領域を形成する必要があるので、カードリーダの小型化を図ることが困難であるという問題点がある。
【０００７】
本発明は、上述した課題を解決するものであって、その目的とするところは、小型化を図ることが可能なカード受入機構およびカード処理装置を提供することである。
【課題を解決するための手段】
【０００８】
本発明のカード受入機構は、カードが挿入される挿入口が形成された案内部材と、挿入口を開閉するために設けられたシャッタ部材とを備えたカード受入機構において、挿入口の幅方向である第１方向にスライド移動可能に設けられたスライド部材をさらに備え、シャッタ部材は、その第１方向の長さが挿入口の第１方向の長さよりも長くなるように矩形状に形成されている。スライド部材およびシャッタ部材のいずれか一方には、第１方向、および、挿入口に挿入されるカードの表面に対して垂直な第２方向と交差する第３方向に延びる２つのガイドレールが、第１方向に並んで設けられ、スライド部材およびシャッタ部材の他方には、２つのガイドレールにそれぞれガイドされる２つのレール係合部が設けられている。２つのガイドレールは、挿入口の第１方向の幅より小さい間隔を置いて、挿入口の下側に設けられている。また、シャッタ部材は、当該シャッタ部材と案内部材の一方に形成された第１突出部が、他方に形成された第２方向に延びる第１開口溝に挿入されることによって、第２方向への移動が可能で、第１方向への移動が規制される。そして、スライド部材が第１方向の一方にスライドしたときに、レール係合部がガイドレールの一方端部から他方端部へ移動することにより、シャッタ部材が下降して挿入口を開く。また、スライド部材が第１方向の他方にスライドしたときに、レール係合部がガイドレールの他方端部から一方端部へ移動することにより、シャッタ部材が上昇して挿入口を閉じる。
【０００９】
このように構成することによって、スライド部材にガイドレールが設けられるとともに、シャッタ部材にレール係合部が設けられる場合には、スライド部材を第１方向（挿入口の幅方向）にスライド移動させることにより、シャッタ部材のレール係合部がガイドレールにガイドされる。このとき、シャッタ部材は第１方向への移動が規制されているので、シャッタ部材を第２方向（挿入口に挿入されるカードの表面に対して垂直な方向）に移動させることができる。すなわち、本発明のカード受入機構では、挿入口を開閉する際に、シャッタ部材を第１方向に移動させることなく、第２方向にのみ移動させることができる。したがって、本発明のカード受入機構では、上記特許文献１および２と異なり、挿入口の側方にシャッタ部材を退避させるための領域を形成する必要がないので、その分、小型化を図ることができる。
【００１０】
上記カード受入機構において、好ましくは、ガイドレールは、第２開口溝を含み、レール係合部は、第２開口溝に挿入される第２突出部を含む。
【００１１】
このように構成することによって、第２開口溝により、第２突出部を容易にガイドすることができる。
【００１４】
上記カード受入機構において、好ましくは、スライド部材を第１方向にスライド移動させるために設けられたアクチュエータをさらに備えている。
【００１５】
このように構成することによって、アクチュエータにより、スライド部材を第１方向に移動させることができるので、シャッタ部材を第２方向に移動させることができる。
【００１６】
上記カード受入機構において、好ましくは、挿入口に挿入されるカードを検出するための検出部と、検出部が挿入口内に突出するように、検出部を第２方向に付勢するための圧縮コイルばねとをさらに備えている。
【００１７】
このように構成することによって、検出部を付勢するために案内部材の挿入口の奥行き方向に延びる板ばねを設ける場合に比べて、挿入口の奥行き方向の長さを小さくすることができるので、カード受入機構の一層の小型化を図ることができる。
【００１８】
また、本発明のカード処理装置は、上記のいずれかのカード受入機構と、このカード受入機構が前面に設けられた本体とを備えている。
【００１９】
このように構成することによって、スライド部材にガイドレールが設けられるとともに、シャッタ部材にレール係合部が設けられる場合には、スライド部材を第１方向（挿入口の幅方向）にスライド移動させることにより、シャッタ部材のレール係合部がガイドレールにガイドされる。このとき、シャッタ部材は第１方向への移動が規制されているので、シャッタ部材を第２方向（挿入口に挿入されるカードの表面に対して垂直な方向）に移動させることができる。すなわち、本発明のカード処理装置では、挿入口を開閉する際に、シャッタ部材を第１方向に移動させることなく、第２方向にのみ移動させることができる。したがって、本発明のカード処理装置では、上記特許文献１および２と異なり、挿入口の側方にシャッタ部材を退避させるための領域を形成する必要がないので、その分、小型化を図ることができる。
【発明の効果】
【００２０】
本発明によれば、小型化を図ることが可能なカード受入機構およびカード処理装置を提供することができる。
【発明を実施するための最良の形態】
【００２１】
以下、本発明の実施形態について、図面を参照しながら説明する。なお、以下の実施形態では、カード処理装置の一例であるカードリーダに本発明を適用した場合について説明する。
【００２２】
図１は、本発明の一実施形態によるカードリーダの概略を示した斜視図である。図２および図３は、図１に示したカードリーダの構造を説明するための正面図である。図４および図５は、図１に示したカードリーダの構造を説明するための背面図である。図６および図７は、図１に示したカードリーダの構造を説明するための側面図である。図８は、図１に示したカードリーダの磁気ストライプ検出部の構造を説明するための正面図である。まず、図１〜図８を参照して、本実施形態によるカードリーダ１の構造について説明する。なお、図２、図４、および図６は、シャッタ部材２０が挿入口１３を閉じた状態を示し、図３、図５、および図７は、シャッタ部材２０が挿入口１３を開いた状態を示している。
【００２３】
本発明の一実施形態によるカードリーダ１は、図１に示すように、カードリーダ本体２と、カードリーダ本体２の前面に設けられたカード受入機構３とを備えている。
【００２４】
カードリーダ本体２は、カード受入機構３により受け入れられたカード１５０に記憶された情報を読み取る機能を有する。このカードリーダ本体２には、カード搬送部、カード読取部、およびカードリーダ１の動作を制御する制御部などが設けられている。
【００２５】
カード受入機構３は、案内部材１０と、シャッタ部材２０と、スライド部材３０と、アクチュエータ４０とを含んでいる。
【００２６】
案内部材１０は、Ｙ１方向（Ｙ２方向）に対して実質的に垂直な板状部１１と、板状部１１からＹ２方向に突出するように形成されたガイド部１２とを有する。板状部１１およびガイド部１２には、カード１５０が挿入される挿入口１３がＹ１方向（Ｙ２方向）に延びるように形成されている。この挿入口１３は、幅がカード１５０の幅よりも若干大きくなるように形成されるとともに、高さがカード１５０の厚みよりも若干大きくなるように形成されている。
【００２７】
また、板状部１１には、図４および図５に示すように、挿入口１３に挿入されるカード１５０（図１参照）の表面に対して実質的に垂直な方向（Ｚ１方向およびＺ２方向）に延びるように開口溝１４が１つ形成されている。なお、開口溝１４は、本発明の「第１開口溝」の一例である。また、Ｚ１方向（Ｚ２方向）は、本発明の「第２方向」の一例である。ガイド部１２の下面には、図１に示すように、シャッタ部材２０が配置される開口部１５がＹ１方向の端部近傍に形成されている。
【００２８】
シャッタ部材２０は、案内部材１０の挿入口１３を開閉するために設けられている。このシャッタ部材２０は、図２等に示すように、Ｘ１方向（Ｘ２方向）の長さが挿入口１３のＸ１方向（Ｘ２方向）の長さよりも長くなるように、正面視において略矩形状に形成されるとともに、板状に形成されている。シャッタ部材２０は、Ｘ１方向（Ｘ２方向）においてガイド部１２と対応する領域内に配置されている。シャッタ部材２０には、Ｙ２方向に突出する円柱状の突出部２１が２つ形成されている。なお、突出部２１は、本発明の「第２突出部」および「レール係合部」の一例である。
【００２９】
また、シャッタ部材２０には、図６および図７に示すように、Ｙ１方向に突出する円柱状の突出部２２が１つ形成されている。なお、突出部２２は、本発明の「第１突出部」の一例である。この突出部２２は、案内部材１０の開口溝１４に挿入されている。これにより、シャッタ部材２０は、案内部材１０の挿入口１３の幅方向（Ｘ１方向およびＸ２方向）への移動が規制されている。なお、Ｘ１方向（Ｘ２方向）は、本発明の「第１方向」の一例である。また、突出部２２には、図４および図５に示すように、円周方向に回転可能なベアリング２２ａが取り付けられている。
【００３０】
スライド部材３０は、図２および図３に示すように、Ｘ１方向（Ｘ２方向）にスライド移動可能に設けられている。このスライド部材３０は、Ｘ１方向（Ｘ２方向）においてガイド部１２と対応する領域内に配置されている。スライド部材３０には、Ｘ１方向（Ｘ２方向）およびＹ１方向（Ｙ２方向）と交差するＳ方向に延びるように開口溝３１が２つ形成されている。なお、開口溝３１は、本発明の「第２開口溝」および「ガイドレール」の一例である。また、Ｓ方向は、本発明の「第３方向」の一例である。この開口溝３１は、一方端部がＸ２方向に延びるように形成されている。
【００３１】
また、開口溝３１には、シャッタ部材２０の突出部２１が挿入されている。また、開口溝３１に挿入された突出部２１の先端部近傍には、Ｅリング２１ａ（図６および図７参照）が取り付けられており、突出部２１が開口溝３１から抜け落ちることが防止されている。また、スライド部材３０は、案内部材１０に設けられたマイクロスイッチ（図示省略）により位置が検出されるように構成されている。
【００３２】
アクチュエータ４０は、スライド部材３０をＸ１方向およびＸ２方向にスライド移動させるために設けられている。このアクチュエータ４０は、ソレノイド４１と、スライド部材３０に連結されたプランジャ４２と、円錐状の圧縮コイルばね４３と、緩衝部材４４とを有する。
【００３３】
ここで、本実施形態では、カード受入機構３は、アクチュエータ４０のソレノイド４１がオフ状態のときに、プランジャ４２およびプランジャ４２に連結されたスライド部材３０が図２に示した基準位置に位置するように構成されている。このとき、スライド部材３０の開口溝３１に挿入されたシャッタ部材２０の突出部２１が開口溝３１の一方端部に位置する。したがって、カード受入機構３では、ソレノイド４１がオフ状態のときに、シャッタ部材２０が案内部材１０の挿入口１３を閉じるように構成されている。なお、このとき、案内部材１０の開口溝１４に挿入されたシャッタ部材２０の突出部２２は、図４および図６に示すように、開口溝１４のＺ１方向側の端部に位置している。
【００３４】
また、本実施形態では、カード受入機構３は、ソレノイド４１がオンされたときに、プランジャ４２が圧縮コイルばね４３の付勢力に抗してＸ２方向に移動することにより、プランジャ４２に連結されたスライド部材３０が図３に示した位置に移動するように構成されている。このとき、スライド部材３０の開口溝３１に挿入されたシャッタ部材２０の突出部２１が開口溝３１にガイドされて他方端部に移動する。したがって、カード受入機構３では、ソレノイド４１がオンされたときに、シャッタ部材２０が案内部材１０の挿入口１３を開くように構成されている。なお、このとき、案内部材１０の開口溝１４に挿入されたシャッタ部材２０の突出部２２は、図５および図７に示すように、開口溝１４のＺ２方向側の端部に位置している。
【００３５】
案内部材１０のガイド部１２には、図７に示すように、Ｙ２方向の端部近傍に、挿入口１３に挿入された物体がカード１５０であるか否かを判断するための磁気ストライプ検出部５０が設けられているとともに、図１に示すように、マイクロスイッチ６０が設けられている。なお、磁気ストライプ検出部５０は、本発明の「検出部」の一例である。マイクロスイッチ６０は、挿入口１３に挿入された物体の幅がカード１５０の幅と略同じ大きさを有するか否かを検出する機能を有する。
【００３６】
磁気ストライプ検出部５０は、磁気ヘッドから構成され、挿入口１３に挿入された物体にカード１５０の磁気ストライプ１５０ａが形成されているか否かを検出する機能を有する。磁気ストライプ検出部５０は、図８に示すように、所定の厚みを有する保持部材５１に保持されている。保持部材５１には、一対の挿入孔５１ａが形成されるとともに、この一対の挿入孔５１ａには、ガイド部１２に形成された一対の棒状部１２ａが挿入されている。また、一対の棒状部１２ａには、それぞれ、保持部材５１をＺ１方向に付勢するための圧縮コイルばね５２が挿入されている。そして、取付部材５３がねじ５４（図１参照）によりガイド部１２に取り付けられることによって、保持部材５１および圧縮コイルばね５２がガイド部１２に取り付けられている。
【００３７】
これにより、磁気ストライプ検出部５０は、Ｚ１方向に付勢された状態で、ガイド部１２に形成された開口部１２ｂを介して挿入口１３（図６および図７参照）内に突出するように設けられている。また、磁気ストライプ検出部５０は、図７に示すように、カード１５０が挿入口１３に挿入された場合には、保持部材５１とともに圧縮コイルばね５２の付勢力に抗してＺ２方向に移動するように設けられている。したがって、磁気ストライプ検出部５０は、挿入口１３にカード１５０が挿入されることを妨げることなく、カード１５０の磁気ストライプ１５０ａ（図１参照）を読み取ることが可能なように構成されている。
【００３８】
次に、図１〜図７を参照して、本実施形態によるカードリーダ１のカード１５０の受け入れ動作について説明する。
【００３９】
まず、図１において、挿入口１３にカード１５０が挿入されると、磁気ストライプ検出部５０（図７参照）およびマイクロスイッチ６０の検出結果に基づいて、図示しない制御部により、挿入口１３に挿入された物体がカード１５０であるか否かが判断される。そして、挿入口１３にカード１５０が挿入されたと判断された場合に、アクチュエータ４０のソレノイド４１がオンされる。
【００４０】
これにより、図２に示したプランジャ４２がＸ２方向に移動するので、プランジャ４２に連結されたスライド部材３０も基準位置からＸ２方向に移動する。このとき、スライド部材３０の開口溝３１の一方端部に位置するシャッタ部材２０の突出部２１（図２参照）が開口溝３１にガイドされて他方端部に移動する（図３参照）。
【００４１】
具体的には、スライド部材３０がＸ２方向に移動することにより、シャッタ部材２０の突出部２１が開口溝３１の一方側面３１ａからＦ１方向の力を受ける。このとき、シャッタ部材２０は、前述のように突出部２２が案内部材１０の開口溝１４に挿入されていることにより（図４）、Ｘ１方向（Ｘ２方向）への移動が規制されているので、Ｚ２方向に移動する。なお、シャッタ部材２０の突出部２２は、開口溝１４のＺ１方向側の端部（図４および図６参照）からＺ２方向側の端部（図５および図７参照）に移動する。
【００４２】
その結果、図２、図４、および図６に示したシャッタ部材２０が下降することにより、シャッタ部材２０が挿入口１３から退避するので、図３、図５、および図７に示すように、挿入口１３が開かれる。その後、カード１５０がカードリーダ本体２の内部に収納される。
【００４３】
次に、ソレノイド４１がオフ状態にされる。これにより、プランジャ４２およびスライド部材３０が圧縮コイルばね４３の付勢力により図３に示した位置からＸ１方向に移動する。このとき、スライド部材３０の開口溝３１の他方端部に位置するシャッタ部材２０の突出部２１（図３参照）が開口溝３１にガイドされて一方端部に移動する（図２参照）。
【００４４】
具体的には、スライド部材３０がＸ１方向に移動することにより、シャッタ部材２０の突出部２１が開口溝３１の他方側面３１ｂからＦ２方向の力を受ける。このとき、シャッタ部材２０は、Ｘ１方向（Ｘ２方向）への移動が規制されているので、Ｚ１方向に移動する。なお、案内部材１０の開口溝１４に挿入されたシャッタ部材２０の突出部２２は、開口溝１４のＺ２方向側の端部（図５および図７参照）からＺ１方向側の端部（図４および図６参照）に移動する。
【００４５】
その結果、図３、図５、および図７に示したシャッタ部材２０が上昇することにより、図２、図４、および図６に示すように、シャッタ部材２０により挿入口１３が閉じられる。なお、緩衝部材４４により、プランジャ４２およびスライド部材３０がＸ１方向に移動することによる衝撃が緩和される。
【００４６】
本実施形態では、上記のように、Ｓ方向に延びる開口溝３１が形成されたスライド部材３０と、開口溝３１に挿入される突出部２１が形成されたシャッタ部材２０とを設け、シャッタ部材２０のＸ１方向（Ｘ２方向）への移動を規制することによって、スライド部材３０をＸ１方向（Ｘ２方向）に移動させることにより、シャッタ部材２０の突出部２１が開口溝３１にガイドされる。このとき、シャッタ部材２０はＸ１方向（Ｘ２方向）への移動が規制されているので、シャッタ部材２０をＺ１方向（Ｚ２方向）に移動させることができる。すなわち、カード受入機構３では、挿入口１３を開閉する際に、シャッタ部材２０をＸ１方向（Ｘ２方向）に移動させることなく、Ｚ１方向（Ｚ２方向）にのみ移動させることができる。したがって、本実施形態によるカード受入機構３では、上記特許文献１および２と異なり、挿入口１３の側方にシャッタ部材２０を退避させるための領域を形成する必要がないので、その分、小型化を図ることができる。その結果、カード受入機構３が設けられたカードリーダ１の小型化を図ることができる。
【００４７】
また、磁気ストライプ検出部５０を付勢する手段として板ばねを用いる場合は、ばねの撓み量を確保するため、挿入口１３の奥行き方向、すなわちＹ１方向（Ｙ２方向）に延びる板ばねを設ける必要があり、その結果、挿入口１３の奥行きが長くなるが、本実施形態では、磁気ストライプ検出部５０を付勢する手段として圧縮コイルばね５２を設けることによって、板ばねを設ける場合に比べて、挿入口１３の奥行きを短くすることができるので、カード受入機構３の一層の小型化を図ることができる。また、挿入口１３の奥行きが短くなることにより、カード１５０がカードリーダ１に挿入される際の搬送距離を小さくすることができるので、挿入口１３の近傍に設けられたスキミング装置などの不正な手段によりカード１５０に記憶された情報が読み出されるのを抑制することができる。
【００４８】
また、本実施形態では、案内部材１０にＺ１方向（Ｚ２方向）に延びる開口溝１４を形成するとともに、シャッタ部材２０に開口溝１４に挿入される突出部２２を形成することによって、シャッタ部材２０のＸ１方向（Ｘ２方向）への移動を容易に規制することができる。
【００４９】
また、本実施形態では、突出部２２にベアリング２２ａを取り付けることによって、シャッタ部材２０の開閉動作を円滑に行うことができる。具体的には、シャッタ部材２０が開閉される場合には、シャッタ部材２０にＦ１方向またはＦ２方向の力が加わる。そのため、ベアリング２２ａを設けることにより、突出部２２と開口溝１４との間の摩擦力を小さくすることができるので、シャッタ部材２０の開閉動作を円滑に行うことができる。
【００５０】
また、本実施形態では、開口溝３１の一方端部をＸ２方向に延びるように形成することによって、プランジャ４２がＸ２方向に移動し始める際の負荷を小さくすることができるので、シャッタ部材２０を円滑に開くことができる。また、シャッタ部材２０が挿入口１３を閉じた状態において、シャッタ部材２０の荷重がスライド部材３０に対してＺ２方向に加わるので、シャッタ部材２０の荷重がスライド部材３０に対してＦ１方向に加わる場合と異なり、スライド部材３０がＸ１方向（Ｘ２方向）にがたつくのを抑制することができる。これにより、シャッタ部材２０が挿入口１３を閉じた状態において、シャッタ部材２０がＺ１方向（Ｚ２方向）にがたつくのを抑制することができる。
【００５１】
また、本実施形態では、突出部２１および開口溝３１をそれぞれ２つずつ形成することによって、シャッタ部材２０に加わる力を分散させることができるので、シャッタ部材２０の開閉動作を円滑に行うことができる。
【００５２】
また、本実施形態では、開口溝１４および突出部２２をそれぞれ１つずつ形成することによって、構造が複雑化するのを抑制するとともに、部品点数が増加するのを抑制しながら、シャッタ部材２０のＸ１方向（Ｘ２方向）への移動を規制することができる。
【００５３】
また、本実施形態では、磁気ストライプ検出部５０を保持する保持部材５１が所定の厚みを有することによって、挿入口１３に挿入されるカード１５０の表面に対して磁気ストライプ検出部５０が傾くのを抑制することができる。
【００５４】
本発明は、上述した以外にも種々の実施形態を採用することができる。たとえば、上記実施形態では、シャッタ部材２０に突出部２１を形成するとともに、スライド部材３０に突出部２１が挿入される開口溝３１を形成する例を示したが、これに限らず、スライド部材に突出部を形成するとともに、シャッタ部材に突出部が挿入される開口溝を形成してもよい。
【００５５】
また、上記実施形態では、案内部材１０に開口溝１４を形成するとともに、シャッタ部材２０に開口溝１４に挿入される突出部２２を形成する例を示したが、これに限らず、シャッタ部材に開口溝を形成するとともに、案内部材に開口溝に挿入される突出部を形成してもよい。
【００５６】
また、上記実施形態では、開口溝１４に挿入される突出部２２にベアリング２２ａを取り付ける例を示したが、これに限らず、ベアリングが取り付けられた開口溝に突出部を挿入するようにしてもよい。
【図面の簡単な説明】
【００５７】
【図１】本発明の一実施形態によるカードリーダの概略を示した斜視図である。
【図２】図１に示したカードリーダの構造を説明するための正面図である。
【図３】図１に示したカードリーダの構造を説明するための正面図である。
【図４】図１に示したカードリーダの構造を説明するための背面図である。
【図５】図１に示したカードリーダの構造を説明するための背面図である。
【図６】図１に示したカードリーダの構造を説明するための側面図である。
【図７】図１に示したカードリーダの構造を説明するための側面図である。
【図８】図１に示したカードリーダの磁気ストライプ検出部の構造を説明するための正面図である。
【符号の説明】
【００５８】
１      カードリーダ（カード処理装置）
２      本体
３      カード受入機構
１０    案内部材
１３    挿入口
１４    開口溝（第１開口溝）
２０    シャッタ部材
２１    突出部（第２突出部、レール係合部）
２２    突出部（第１突出部）
３０    スライド部材
３１    開口溝（第２開口溝、ガイドレール）
４０    アクチュエータ
５０    磁気ストライプ検出部（検出部）
５２    圧縮コイルばね
１５０  カード
【図１】
0004719769.tif 000002
【図２】
0004719769.tif 000003
【図３】
0004719769.tif 000004
【図４】
0004719769.tif 000005
【図５】
0004719769.tif 000006
【図６】
0004719769.tif 000007
【図７】
0004719769.tif 000008
【図８】
0004719769.tif 000009